(57)【特許請求の範囲】
【請求項１】
情報媒体の中心孔に係合し前記情報媒体を回転するターンテーブルと、
前記情報媒体のラジアル方向に対しそれぞれ平行に配置された主軸と副軸とが係合する光学基台にアクチュエータベースを介して押圧され、前記情報媒体の情報層に光ビームを集光する対物レンズ及び前記対物レンズを前記情報媒体のラジアル方向、タンジェンシャル方向及び前記対物レンズの光軸中心方向に駆動する駆動手段を備えるアクチュエータ手段と、
前記対物レンズが前記ラジアル方向に前記情報層上を移動し、少なくとも前記光ビームが照射する範囲の開口を有する開口部と、凸面には前記ターンテーブルとを備え、凹側内部に前記開口部の前記タンジェンシャル方向の長さ以上の間隔で前記主軸及び前記副軸が固定された蓋体と、
前記アクチュエータベースに備え、前記開口部に対向する位置であって、前記対物レンズの光軸中心と略直行し前記ラジアル方向に前記アクチュエータ手段よりも延在する延在部と、
前記延在部と前記光学基台との境界部に接着部とを有することを特徴とする記録再生装置。
【請求項２】
延在部が接着部を介して係合すると共にアクチュエータ手段側に突出する壁部を光学基台に備えることを特徴とする請求項１記載の記録再生装置。
【請求項３】
延在部に壁部が貫通する貫通部を備えることを特徴とする請求項１または２何れかに記載の記録再生装置。
【請求項４】
情報媒体の中心孔に係合し前記情報媒体を回転するターンテーブルと、
前記情報媒体のラジアル方向に対しそれぞれ平行に配置された主軸と副軸とが係合する光学基台にアクチュエータベースを介して押圧され、前記情報媒体の情報層に光ビームを集光する対物レンズ及び前記対物レンズを前記情報媒体のラジアル方向、タンジェンシャル方向及び前記対物レンズの光軸中心方向に駆動する駆動手段を備えるアクチュエータ手段と、
前記対物レンズが前記ラジアル方向に前記情報層上を移動し、少なくとも前記光ビームが透過する範囲の開口を有する開口部を備えた蓋体と、
前記アクチュエータベースに備え、前記開口部に対向する位置であって、前記対物レンズの光軸中心と略直行し前記ラジアル方向に前記アクチュエータ手段よりも延在する延在部と、
前記対物レンズの光軸中心を主に前記ラジアル方向に光軸角度調整するスキュー手段Ａと、前記対物レンズの光軸中心を主に前記タンジェンシャル方向に光軸角度調整するスキュー手段Ｂとに係合し、前記光学基台に備えた貫通孔Ａ及び貫通孔Ｂと、
前記貫通孔Ａ及び前記貫通孔Ｂに対応する位置で、前記アクチュエータベースに備えた前記スキュー手段Ａ及び前記スキュー手段Ｂを係止する係止部Ａ及び係止部Ｂとを備え、
前記蓋体の凸面に前記ターンテーブルを配し、
前記アクチュエータベースを介して前記アクチュエータ手段を前記光学基台に押圧係合し、
前記主軸及び前記副軸を前記光学基台に係合し、
前記蓋体の凹側内部に前記開口部の前記タンジェンシャル方向の長さ以上の間隔で前記主軸及び前記副軸を固定し、
前記スキュー手段Ａ及び前記スキュー手段Ｂで前記対物レンズの光軸中心を前記ラジアル方向及び前記タンジェンシャル方向に調整し、
前記延在部と前記光学基台との境界部に、接着剤を前記開口部から滴下することで請求項１〜３何れかに記載の記録再生装置を製造する方法。
【発明の詳細な説明】
【０００１】
【産業上の利用分野】
本発明は、情報媒体の再生または記録を行う記録再生装置に関する。
【０００２】
【従来の技術】
図５は、従来の光ディスク記録再生装置に適用する光ピックアップの要部分解斜視図、図６は光ピックアップの要部正面図である。１０１は対物レンズ、１０２は対物レンズ１０１を保持するレンズホルダー、１０３はレンズホルダー１０２を不図示の光ディスクをラジアル方向、タンジェンシャル方向、及び対物レンズ１０１の光軸中心方向に駆動する駆動手段、１０４は対物レンズ１０１、レンズホルダー１０２及び駆動手段１０３を含む可動部とアクチュエータベース１０５とを弾性支持する弾性支持部材（図では金属ワイヤ）、１０６は光学基台である。
【０００３】
アクチュエータベース１０５は板バネ１０７の変形部と係合し、固定部材１０８により板バネ１０７を光学基台１０６に固定することでアクチュエータベース１０５は光学基台１０６に対し弾性押圧される。また、光学基台１０６は、主軸１０９及び副軸１１０と各々係合する主軸受１１１及び副軸受１１２を備え、主軸１０９及び副軸１１０を不図示の記録再生部に固定することで、光ピックアップは記録再生装置に装着される。
【０００４】
光ディスクの情報層に情報信号を記録、または、光ディスクの情報層に予め記録された情報を再生（以下、録再と称す）するためには、光ディスクの所定の情報層に光ビームを集光するように、光源１２０から放射した光ビームの光軸中心と対物レンズの光軸中心とを一致させる光軸角度調整（以下、スキュー調整とも言う）を行うことが必須である。スキュー調整には、光ディスクのラジアル方向とタンジェンシャル方向とを調整すれば良く、光学基台１０６に備えた貫通孔１１３を介してアクチュエータベース１０５に備えたネジ孔１１４に係合し、主にラジアル方向の光軸を調整するスキューネジ１１５、及び、光学基台１０６に備えた貫通孔１１６を介してアクチュエータベース１０５に備えたネジ孔１１７に係合し、主にタンジェンシャル方向の光軸を調整するスキューネジ１１８によってスキュー調整を行う。
【０００５】
スキュー調整後、図６に示したように、アクチュエータベース１０５と光学基台１０６とを複数箇所接着剤を塗布硬化した接着部１１９（図では４ヶ所）により、振動及び／または衝撃等の影響で光軸ずれを抑制する。
このように接着剤で接着した後、主軸１０９及び副軸１１０にそれぞれ主軸受１１１及び副軸受１１２に組み込み、主軸１０９及び副軸１１０に組み込んだ光ピックアップを記録再生部に装着した後、主軸１０９及び副軸１１０とディスクを載置保持するターンテーブルとの相対的な角度調整を補正する。
【０００６】
従って、予め光ピックアップを組み込んだ主軸１０９及び副軸１１０を記録再生部に装着した後、スキューネジ１１５及び／または１１８でスキュー調整すると、対物レンズ１０１の光軸中心と光源１２０から出射する光ビームの光軸中心との光軸角度調整と、主軸１０９・副軸１１０・ターンテーブルとの間の相対的な角度調整とが一度にできるため、調整工程が簡略化できる。
【０００７】
一方、光ディスクを用いる記録再生装置は、コンパクトディスクプレーヤに始まり、最近ではＤＶＤ記録再生装置と普及がめざましく、使用対象年齢も拡大してきている。このような記録再生装置では光ピックアップは光ディスクと対向配置するため、使用者が光ピックアップに直接触れることが可能であり、例えば、光ピックアップに触れることにより対物レンズ１０１を駆動する駆動手段１０３の駆動特性を損ねる、駆動手段１０３または不図示の記録再生部の回路等の電流が流れる部分に触れることで感電する可能性があり、図５に示したように、対物レンズ１０１がディスクのラジアル方向に移動する長さと、対物レンズから出射する光ビームを遮らない幅との開口部１２１を備えた蓋体１２２で、光ピックアップ、ディスク駆動モータ及び記録再生回路等の記録再生装置の構成要素の殆どを凹側内部に覆い、蓋体１２２の凸面にディスクを載置保持するターンテーブル１２３を備える安全な構成の記録再生装置も提案されだしている。
【０００８】
この安全性を重視した蓋体１２２を有する記録再生装置で上述した調整工程を簡略化するため、主軸１０９及び副軸１１０と組み込んだ光ピックアップを蓋体１２２に内包した記録再生部に予め装着し、その後スキューネジ１１５及び１１８でスキュー調整することで、安全性と製造効率向上とを両立する構成が検討されている。
【０００９】
【発明が解決しようとする課題】
しかしながら、図５に示した開口部１２１を備えた蓋体１２２に予め光ピックアップを組み込んだ主軸１０９及び副軸１１０を装着した記録再生装置では、ターンテーブル１２３に載置するディスクと主軸及び副軸との平行度は機械加工で調整は可能であるが、光源１２０から出射する光ビームの光軸中心と対物レンズ１０１の光軸中心とのスキュー調整は、微細な光ビームをディスクの情報層上に正確に照射する必要があるため、機械加工精度だけでは達成できない。そこで蓋体１２２の凹側内部に存在する不図示の記録再生部の裏側からスキューネジ１１５及び１１８を回動することでスキュー調整自体は可能であるが、スキュー調整の後光軸角度変化を抑制する接着部１１９を、図６に示したようにレンズホルダー１０２、駆動手段１０３等を含む可動部及び弾性支持部材１０４（以下、これらを総合してアクチュエータ手段と称す）から離隔した位置に複数箇所設けることは、アクチュエータベース１０５、光学基台１０６及びドライブ本体の立体構造上不可能である。
【００１０】
接着部１１９を設けなければ、光学基台１０６に対するアクチュエータ手段の位置規制は、板バネ１０７の弾性押圧力、スキューネジ１１５とネジ孔１１４との締め付け力、及びスキューネジ１１８とネジ孔１１７との締め付け力の３者の力のみである。しかしながら、スキューネジ１１５及び１１８とネジ孔１１４及び１１７との締め付け力は、本来スキュー調整用に締め付ける力であるため極めて脆弱であり、僅かな衝撃でもスキュー調整を損ね、事実上光ピックアップとしての機能がないという課題が発生する。
【００１１】
本発明は、上記従来の問題点に鑑み、振動、落下衝撃等に耐性を有し、しかも安全性を加味した記録再装置を提供することを目的とする。
【００１２】
【課題を解決するための手段】
上記課題を解決するために本発明の記録再生装置は、情報媒体の中心孔に係合し前記情報媒体を回転するターンテーブルと、前記情報媒体のラジアル方向に対しそれぞれ平行に配置された主軸と副軸とが係合する光学基台にアクチュエータベースを介して押圧され、前記情報媒体の情報層に光ビームを集光する対物レンズ及び前記対物レンズを前記情報媒体のラジアル方向、タンジェンシャル方向及び前記対物レンズの光軸中心方向に駆動する駆動手段を備えるアクチュエータ手段と、前記対物レンズが前記ラジアル方向に前記情報層上を移動し、少なくとも前記光ビームが照射する範囲の開口を有する開口部と、凸面には前記ターンテーブルとを備え、凹側内部に前記開口部の前記タンジェンシャル方向の長さ以上の間隔で前記主軸及び前記副軸が固定された蓋体と、前記アクチュエータベースに備え、前記開口部に対向する位置であって、前記対物レンズの光軸中心と略直行し前記ラジアル方向に前記アクチュエータ手段よりも延在する延在部と、前記延在部と前記光学基台との境界部に接着部とを有する。
【００１３】
また、上記記録再生装置における延在部が接着部を介して係合すると共にアクチュエータ手段側に突出する壁部を光学基台に備える。
【００１４】
また、上記何れかの記録再生装置における延在部に、壁部が貫通する貫通部を備える。
【００１５】
また、上記何れかの記録再生装置を製造する方法は、情報媒体の中心孔に係合し前記情報媒体を回転するターンテーブルと、前記情報媒体のラジアル方向に対しそれぞれ平行に配置された主軸と副軸とが係合する光学基台にアクチュエータベースを介して押圧され、前記情報媒体の情報層に光ビームを集光する対物レンズ及び前記対物レンズを前記情報媒体のラジアル方向、タンジェンシャル方向及び前記対物レンズの光軸中心方向に駆動する駆動手段を備えるアクチュエータ手段と、前記対物レンズが前記ラジアル方向に前記情報層上を移動し、少なくとも前記光ビームが透過する範囲の開口を有する開口部を備えた蓋体と、前記アクチュエータベースに備え、前記開口部に対向する位置であって、前記対物レンズの光軸中心と略直行し前記ラジアル方向に前記アクチュエータ手段よりも延在する延在部と、前記対物レンズの光軸中心を主に前記ラジアル方向に光軸角度調整するスキュー手段Ａと、前記対物レンズの光軸中心を主に前記タンジェンシャル方向に光軸角度調整するスキュー手段Ｂとに係合し、前記光学基台に備えた貫通孔Ａ及び貫通孔Ｂと、前記貫通孔Ａ及び前記貫通孔Ｂに対応する位置で、前記アクチュエータベースに備えた前記スキュー手段Ａ及び前記スキュー手段Ｂを係止する係止部Ａ及び係止部Ｂとを備え、前記蓋体の凸面に前記ターンテーブルを配し、前記アクチュエータベースを介して前記アクチュエータ手段を前記光学基台に押圧係合し、前記主軸及び前記副軸を前記光学基台に係合し、前記蓋体の凹側内部に前記開口部の前記タンジェンシャル方向の長さ以上の間隔で前記主軸及び前記副軸を固定し、前記スキュー手段Ａ及び前記スキュー手段Ｂで前記対物レンズの光軸中心を前記ラジアル方向及び前記タンジェンシャル方向に調整し、前記延在部と前記光学基台との境界部に、接着剤を前記開口部から滴下する。
【００１６】
【実施の形態】
請求項１記載の本発明の記録再生装置は、アクチュエータ手段より延在する延在部をアクチュエータベースに備え、当該延在部と光学基台との境界部に接着部を備えた構成により、機械加工精度によりターンテーブルに載置する情報媒体と光学基台が係合する主軸及び副軸との平行度を保ち、光軸角度調整を施した光ピックアップを光学基台に対し接着することができ、その結果、振動や落下衝撃等に対する耐性を有し、しかも蓋体を備えることで安全性を加味した記録再生装置を提供できる。
【００１７】
請求項２記載の本発明の記録再生装置は、延在部が接着部を介して係合する壁部を光学基台に備えた構成により、接着剤が光学基台の側面を伝わり流出し、当該壁面及び／または記録再生部で固着することで光ピックアップ及び／または記録再生部の動作信頼性が劣る可能性を抑制でき、延在部と光学基台との界面の接着剤の流出量を抑制することで接着剤の量を最小に制御できるとともに、接着部が延在部・光学基台・壁部に亘り存在することで接着面積を増加でき接着強度を向上できる。
【００１８】
請求項３記載の本発明の記録再生装置は、延在部に壁部を貫通する貫通部を備えた構成により、接着部とアクチュエータ手段との間に壁部を備える構成が成し得、アクチュエータ手段と光学基台との境界に接着剤が流入することにより、アクチュエータ特性が損なわれることを抑制できるとともに、貫通部から突出した壁部・延在部・光学基台に亘り接着部が存在することで接着面積を増大でき接着強度を向上できる。
【００１９】
請求項４記載の本発明の記録再生装置の製造方法は、スキュー手段Ａ及びＢでスキュー調整した後、延在部と光学基台との境界部に、開口部から接着剤を滴下する構成を備えているため、光学基台が係合する主軸及び副軸が開口部を介してターンテーブルに載置する情報媒体と平行に配置した状態で光ピックアップの光軸角度調整を行うことで、当該情報媒体の情報層に対し信号の授受が正確に行える状態にアクチュエータ手段を調整した後、当該アクチュエータ手段を光学基台にのみ接着固定することができ、光軸角度調整工程を一度に行うとともに、情報媒体に対しアクチュエータ手段の光軸角度を調整した状態を、振動や落下衝撃等によるズレから保護できる。
【００２０】
【実施例】
本発明の記録再生装置の一実施例について図面を参照し詳細に説明する。図１は本発明の一実施例における記録再生装置の要部を示す分解斜視図、図２は同実施例の装置に組み込んだ光ピックアップの要部斜視図である。１は対物レンズ、２は対物レンズ１を保持するレンズホルダー、３はレンズホルダー２に固定され、対物レンズ１を不図示のディスクの半径方向（いわゆるラジアル方向）、情報媒体の接線方向（いわゆるタンジェンシャル方向）及び対物レンズ１の光軸中心方向（いわゆるフォーカシング方向）に駆動する駆動手段である。４は対物レンズ１、レンズホルダー２、及び駆動手段３を含むアクチュエータ手段である。なお、アクチュエータ手段４には、対物レンズ１の光軸中心方向の内情報媒体側の位置を規制するアクチュエータカバー５を備える。また、アクチュエータ手段４は、アクチュエータベース６と金属ワイヤー等の不図示の弾性体を介して係合する。
【００２１】
アクチュエータベース６は、光学基台７に板バネ８の変形部及び固定部材９と係合することにより弾性係合する。また、光学基台７の貫通孔Ａ１０とアクチュエータ手段４の係止部Ａ１１（図１では隠れているため不図示、図２を参照）とに係合し、対物レンズ１の光軸中心を不図示の情報媒体のラジアル方向の角度を主に調整するスキュー手段Ａ１２、及び、光学基台７の貫通孔Ｂ１３とアクチュエータ手段４の係止部Ｂ１４とに係合し、対物レンズ１の光軸中心を情報媒体のタンジェンシャル方向の角度を主に調整するスキュー手段Ｂ１５を介して、アクチュエータベース６と光学基台７とが係合している。
【００２２】
光学基台７の主軸受１６に主軸１７が、副軸受１８に副軸１９がそれぞれ貫通することで、光学基台７がラジアル方向に移動でき、情報媒体に予め記録された情報を再生、または情報媒体に所定の情報信号を記録する。また、主軸受１６及び副軸受１８に貫通した主軸１７及び副軸１９は、蓋体２０の凹側内部に装着する。また、蓋体２０の凸面には不図示の情報媒体を載置保持するターンテーブル２１を備える。なお、蓋体２０の凹側内部には、図示は省略したが、ターンテーブル２１に駆動力を伝達する駆動モータ、情報媒体に対し情報信号の授受を行う各種制御部等の記録再生部も装着している。
【００２３】
次に、光源から放射された光ビームの光路の調整について説明する。光ピックアップの光源としては、公知のように半導体レーザ（以下、レーザと称す）２２が適用される。レーザ２２で放射された光ビームは、対物レンズ１を介して不図示の情報媒体の情報層を照射し、情報層で反射された反射光は対物レンズ１を通り不図示の光電変換素子に入射し、情報層の情報信号、フォーカシング制御、トラッキング制御等の元になる電気信号に変換される。
【００２４】
従って、レーザ２２から対物レンズ１・情報層・対物レンズ１・光電変換素子に至る光路を正確に調整することが、光ピックアップの生命線となる。特に、情報媒体の高密度記録に伴い、上記光路の調整（以下、スキュー調整と称す）は益々高精度が要請される。
【００２５】
スキュー調整は、いわゆる情報層の面に対する光ビームの傾き調整のことであり、情報媒体のタンジェンシャル方向とラジアル方向の傾きを是正することでスキュー調整を行う。つまり、スキュー手段Ａ１２により情報層に対する主にラジアル方向の傾きを調整し、スキュー手段Ｂ１５により情報層に対する主にタンジェンシャル方向の傾きを調整することでスキュー調整は終了する。すなわち、スキュー手段Ａ１２は光学基台７に備える貫通孔Ａ１０を介してアクチュエータベース６に備える係止部Ａ１１に係止し、スキュー手段Ｂ１５は光学基台７に備える貫通孔Ｂ１３を介してアクチュエータベース６に備える係止部Ｂ１４に係止することで行う。なお、一般にスキュー手段Ａ１２及びＢ１５はネジが適応され、スキューネジとも称され、係止部Ａ１１及びＢ１４は当該スキューネジを締め付けるメスネジが適用されるため、本実施例でもこの場合を例に採った説明をしたが、貫通孔Ａ１０及びＢ１３にネジ孔が切られ、係止部Ａ１１及びＢ１４がスキューネジが当接係合する平板であっても良く、その他各種の方法が適用できる。
【００２６】
本実施例におけるスキュー調整は、前述したように主軸受１６及び副軸受１８それぞれに係合した主軸１７及び副軸１９を蓋体２０の凹部内に固定することにより、記録再生装置に予め光ピックアップを組み込んだ後に行うことになるが、スキュー調整自体はスキュー手段Ａ１２及びＢ１５に記録再生装置の裏面（図１の下側）から例えばドライバーを係合させ回転することで容易に行える。
【００２７】
このような本実施例におけるスキュー調整は、記録再生装置に組み込んだ状態でレーザ２２から放射する光ビームの光軸の情報層に対する傾きを調整できるため、記録再生装置に光ピックアップを装着する前に例えばスキュー調整治具にて対物レンズ１の光軸中心と光学基台７との取付角度を決め、その後アクチュエータベース６と光学基台７とを接着固定していた従来技術と比較すると、実際の記録再生装置で生じる主軸１７及び副軸１９とターンテーブル２１との相対的な角度誤差も含めて補正できるため、格段に精度の高いスキュー調整が可能である。また、例えばＤＶＤディスク等の記録密度の高い情報媒体を用いる記録再生装置では、上述のスキュー治具を用いた調整の後、記録再生装置に組み込んだ状態でターンテーブル２１に対する主軸１７及び副軸１９の角度調整を行うという２段構えのスキュー調整を行っていたが、本実施例のスキュー調整の採用でスキュー調整は１回で完結できるため、高精度かつ調整工数の削減効果がある。
【００２８】
以上のようにしてスキュー調整を施した光ピックアップは、情報媒体の情報層に対し情報信号の授受を正確に行うことが可能であるが、実際的には、駆動モータ及び／またはアクチュエータの駆動や光学基台７を主軸１７及び副軸１９に沿って情報媒体のラジアル方向の往復移動等に起因する装置内振動、及び／または衝撃や落下等に起因する装置に外部から加えられるいわゆる外乱により、前述したように極めて簡単にスキュー調整に狂いが生じ、記録再生装置としての機能が完全に損なわれる。
【００２９】
そこで、スキュー調整した後、アクチュエータベース６と光学基台７とを接着固定し、アクチュエータベース６の光学基台７に対するずれを防止することが要請される。接着固定場所は従来技術と同様に、対物レンズ１の動作に直接関わる例えばアクチュエータ手段４や板バネ８等の構成部品から離隔した位置に備えることが安全であるが、前述したように蓋体２０の凹部内に組み込まれた光ピックアップでは、スキュー調整を実施した記録再生装置の裏面方向からはドライバー等の剛性物は挿入可能であるが、液状の接着剤を塗布することは不可能であり、蓋体２０に備えた開口部２３から視認できる範囲にしか設けることができない。
【００３０】
そこで、本実施例では、開口部２３から視認できる範囲（開口部２３直下が好ましい）にあり、アクチュエータベース６にアクチュエータ手段４からラジアル方向に延在する延在部２４及び２５と、当該延在部２４及び２５に接する光学基台７との境界部に接着部２６及び２７を備える。このようにスキュー調整後アクチュエータベース６と光学基台７との境界部を接着することにより、内部振動及び／または外乱によりスキュー調整にずれが生じる課題を抑制することができ、上述のように調整工数を削減しかつ高精度に調整したスキューを維持できる。
【００３１】
なお、接着部２６及び２７に供される接着剤としては、液体または流動体から固化する接着性を備える物質であれば溶剤蒸発型接着剤及び硬化型接着剤の如何は問わないが、経時変化、環境性、光ピックアップ等の構成部品への影響を鑑みると硬化型が好ましい。また、記録再生装置に組み込んだ後接着を行うため、硬化型接着剤の中でもエネルギー線照射硬化型、またはエネルギー線照射硬化型と加熱硬化型との併用が望ましい。また、接着剤の粘度を適正化することで、延在部２４及び２５と光学基台７とにのみ選択的に接着剤を備えることも可能であるし、延在部２４及び２５と光学基台７との係合面に接着剤を流入させることも可能である。係合面に流入させる場合の接着剤としては、エネルギー線照射硬化型と加熱硬化型との併用が望ましい。
【００３２】
また、接着方法としては、例えば液状の接着剤をノズル等により接着部２６及び２７に所定量を滴下または注入（両者を総称して滴下と称する）し、しかる後例えば紫外線照射または加熱等を施すことにより接着剤を硬化することにより容易に達成できる。また、接着部２６で接着する際に光ピックアップを主軸１７及び副軸１９に沿って接着部２７側に移動し、開口部２３から接着部２６を視認しやすくした後滴下、接着部２７の場合には逆に光ピックアップを主軸１７及び副軸１９に沿って接着部２６側に移動し、開口部２３から接着部２７を視認しやすくした後滴下すると、接着工程を容易化できるため好ましい。なお、上記例では接着は２カ所備える例を示したが、接着部２６または２７の何れか一方でも本発明の効果は奏するが、上記例のように２カ所設ける方が信頼性が高く好ましい。
【００３３】
接着固定に際して適用する接着剤が低粘度であると塗布しやすいが、接着剤の流動性が高いため接着したい位置から接着剤が流出し、流出した接着剤がアクチュエータ手段４、板バネ８等のアクチュエータ特性上重要な部材を不要に接着することにより光ピックアップの特性を損ねる危惧がある。そこで接着剤の流出を抑制する抑制部を接着箇所近傍に備えることで、光ピックアップの特性が維持保証できる。
【００３４】
その一例を図３及び図４を参照して説明する。図３は本発明の他の実施例における記録再生装置の要部分解斜視図、図４は同実施例の装置に組み込んだ光ピックアップの要部斜視図である。但し、図１及び２と同様の機能を発揮する要素については同一符号を付与すると共に説明を割愛する。前述の実施例と異なる構成は、延在部２４及び２５と光学基台７との境界部近傍の光学基台７に壁部２８及び２９を備えた点である。壁部２８及び２９を備えたことで、接着剤が接着部２６及び２７から外側に流出し、例えば板バネ８に達することでアクチュエータベース６と光学基台７との付勢力に変動の発生、または光学基台７の側面を伝わり不図示の記録再生部等を汚染することにより動作不良の原因等を抑制しながら、延在部２４及び２５・アクチュエータベース６の光学基台７との境界側面（すなわち、延在部２４及び２５の壁部２８及び２９に対向する側面）・光学基台７・壁部２８及び２９とで接着することで接着面積が増大でき、その結果接着強度も向上できる効果があり、光ピックアップの経時安定性等の動作信頼性が向上できる。
【００３５】
なお、図４に示した接着部２６及び２７は、上述したように、開口部２３から視認できる範囲から接着剤を滴下することで極めて容易に形成できる。また、接着部２６で接着する際に光ピックアップを主軸１７及び副軸１９に沿って接着部２７側に移動し、開口部２３から接着部２６を視認しやすくした後滴下、接着部２７の場合には逆に光ピックアップを主軸１７及び副軸１９に沿って接着部２６側に移動し、開口部２３から接着部２７を視認しやすくした後滴下すると、接着工程を容易化できるため好ましい点は同様である。さらに、上記例では接着は２カ所備える例を示したが、接着部２６または２７の何れか一方でも本発明の効果は奏するが、上記例のように２カ所設ける方が信頼性が高く好ましい点も同様である。
【００３６】
別の例を図５を参照して説明する。図５は本発明の別の実施例における記録再生装置に組み込んだ光ピックアップの要部斜視図である。図５においても、図１〜図４と同様の機能を発揮する要素については同一符号を付与すると共に説明は割愛する。図４と異なる構成は、延在部２４及び２５に備えた貫通部３０及び３１を光学基台７に備えた壁部３２及び３３が突き抜け、接着部２６及び２７は壁部３２及び３３に対しアクチュエータベース６の外側に設けた構成である。この構成を採用すると、接着剤が接着部２６及び２７からアクチュエータベース６側に流出し、例えば不図示の金属ワイヤ等の弾性体、レンズホルダー２等のアクチュエータ手段４等を汚染することにより光ピックアップのアクチュエータ特性不良の原因を抑制すると共に、図３及び４で説明した構成と同様に、延在部２４及び２５・アクチュエータベース６の光学基台７との境界側面（すなわち、延在部２４及び２５の壁部２８及び２９に対向する側面）・光学基台７・壁部３２及び３３十で接着することで増大でき、その結果接着強度も向上できる効果があり、光ピックアップの経時安定性等の動作信頼性が向上できる。なお、本例における接着部２６及び２７は共に壁部３２及び３３に対しアクチュエータベース６の外側に備えた場合を示したが、貫通部３０及び３１の場所によっては壁部３２及び３３とアクチュエータベース６との間に備えても良く、何れか一方をアクチュエータベース６と壁部３２または３３との間に備え他方は外側に備えても良く、あるいは壁部３２及び３３のアクチュエータベース６側とアクチュエータベース６の外側の両方に備えても良いこと勿論である。
【００３７】
なお、図５に示した接着部２６及び２７は、上述したように、開口部２３から視認できる範囲から接着剤を滴下することで極めて容易に形成できる。また、接着部２６で接着する際に光ピックアップを主軸１７及び副軸１９に沿って接着部２７側に移動し、開口部２３から接着部２６を視認しやすくした後滴下、接着部２７の場合には逆に光ピックアップを主軸１７及び副軸１９に沿って接着部２６側に移動し、開口部２３から接着部２７を視認しやすくした後滴下すると、接着工程を容易化できるため好ましい点は同様である。さらに、上記例では接着は２カ所備える例を示したが、接着部２６または２７の何れか一方でも本発明の効果は奏するが、上記例のように２カ所設ける方が信頼性が高く好ましい点も同様である。
【００３８】
他の例を図６を参照して説明する。図６は本発明の他の実施例における記録再生装置に組み込んだ光ピックアップの要部斜視図である。図６においても、図１〜図５と同様の機能を発揮する要素については同一符号を付与すると共に説明は割愛する。図４及び図５と異なる構成は、延在部２４及び２５と光学基台７との境界部近傍の光学基台７に壁部２８及び２９を備え、延在部２４及び２５に備えた貫通部３０及び３１を光学基台７に備えた壁部３２及び３３が突き抜け、接着部２６及び２７を壁部２８と壁部３２との間及び壁部２９と壁部３３との間に備えた点である。この構成を採用すると、図４と図５で説明した効果が全て実現できるばかりでなく、接着箇所も離隔した４カ所が実現できるためより強固な接着が可能となり、また接着剤の調粘を適正化することで延在部２４及び２５と光学基台７との重なり部分に例えば毛細管現象で接着剤を回り込ますことも可能となり、従来技術よりも高強度の接着も可能である。
【００３９】
なお、図６に示した接着部２６及び２７は、上述したように、開口部２３から視認できる範囲から接着剤を滴下することで極めて容易に形成できる。また、接着部２６で接着する際に光ピックアップを主軸１７及び副軸１９に沿って接着部２７側に移動し、開口部２３から接着部２６を視認しやすくした後滴下、接着部２７の場合には逆に光ピックアップを主軸１７及び副軸１９に沿って接着部２６側に移動し、開口部２３から接着部２７を視認しやすくした後滴下すると、接着工程を容易化できるため好ましい点は同様である。さらに、上記例では接着は２カ所備える例を示したが、接着部２６または２７の何れか一方でも本発明の効果は奏するが、上記例のように２カ所設ける方が信頼性が高く好ましい点も同様である。
【００４０】
【発明の効果】
以上のように本発明によれば、光ピックアップを開口部を備えた蓋体の凹部内側に設置する記録再生装置に取り付けた状態で、光ピックアップと情報層との光軸の傾きを調整するため、光ピックアップを記録再生装置装着前に別途スキュー調整治具にてアクチュエータ手段と光学基台との取り付け角度を決め、対物レンズ駆動装置と対物レンズ駆動装置以外の光ピックアップ部品を接着固定する従来の場合と比較して、実際の記録再生装置で生じている光ピックアップを支え位置決めをする主軸及び副軸と情報媒体を位置決めするターンテーブルとの相対的な角度誤差、光ピックアップと情報媒体の取り付け角度関係のずれも補正した正確なスキュー調整が行うことができる。
【００４１】
上述のように高いスキュー調整精度を達成したアクチュエータベースと光学基台とを延在部を介して開口部の開口範囲内にて接着剤を滴下または注入することで接着するため、スキュー調整ずれがない光ピックアップを実現できる。
【００４２】
このように本発明は、簡単な構成にて調整工数が少なく、精度が高く、かつ作業性のよい記録再生装置を実現できる優れた効果を持つものである。
【図面の簡単な説明】
【図１】本発明の一実施例における記録再生装置の要部分解斜視図
【図２】同実施例における光ピックアップの要部斜視図
【図３】本発明の他の実施例における記録再生装置の要部分解斜視図
【図４】同実施例における光ピックアップの要部斜視図
【図５】本発明の別の同実施例における光ピックアップの要部斜視図
【図６】本発明の他の同実施例における光ピックアップの要部斜視図
【図７】従来の記録再生装置の要部分解斜視図
【図８】同例における光ピックアップの要部正面図
【符号の説明】
１  対物レンズ
２  レンズホルダー
３  駆動手段
４  アクチュエータ手段
５  アクチュエータカバー
６  アクチュエータベース
７  光学基台
８  板バネ
９  固定部材
１０  貫通孔Ａ
１１  係止部Ａ
１２  スキュー手段Ａ
１３  貫通孔Ｂ
１４  係止部Ｂ
１５  スキュー手段Ｂ
１６  主軸受
１７  主軸
１８  副軸受
１９  副軸
２０  蓋体
２１  ターンテーブル
２２  レーザ
２３  開口部
２４、２５  延在部
２６、２７  接着部
２８、２９  壁部
３０、３１  貫通部
３２、３３  壁部
【図１】
0004389420.tif 000002
【図２】
0004389420.tif 000003
【図３】
0004389420.tif 000004
【図４】
0004389420.tif 000005
【図５】
0004389420.tif 000006
【図６】
0004389420.tif 000007
【図７】
0004389420.tif 000008
【図８】
0004389420.tif 000009